(57)【要約】【課題】  アナログ放送番組を録画する際に急な放送時間の変更にも対応することができる録画システムを提供する。【解決手段】  デジタル放送を受信するデジタルチューナ１と、アナログ放送を受信する少なくとも１つのアナログチューナ２と、アナログチューナで受信したアナログ放送番組を録画するアナログ放送録画部７と、これらを制御する番組情報解析／制御部５とを有する。番組情報解析／制御部５は、デジタルチューナ１で受信した、上記アナログ放送番組に対応するデジタル放送番組の放送開始タイミングと放送終了タイミングに基づいて、アナログ放送録画部７における上記アナログ放送番組の録画開始と録画終了を制御する。【選択図】  図１
2006094317.tif 000002
【特許請求の範囲】
【請求項１】
デジタル放送を受信するデジタルチューナと、
アナログ放送を受信する少なくとも１つのアナログチューナと、
前記アナログチューナで受信したアナログ放送番組を録画する録画部と、
前記デジタルチューナで受信した、前記アナログ放送番組に対応するデジタル放送番組の放送開始タイミングと放送終了タイミングに基づいて、前記録画部における前記アナログ放送番組の録画開始と録画終了を制御する制御部とを有する録画システム。
【請求項２】
前記デジタルチューナから出力される前記デジタル放送の受信信号から、現在放送されている番組を特定可能な番組特定情報を少なくとも含むデジタル放送番組情報を取得するデジタル用番組情報取得部をさらに有し、
前記制御部が、前記デジタル用番組情報取得部で取得した番組特定情報に基づいて前記放送開始タイミングおよび放送終了タイミングを判断する、請求項１に記載の録画システム。
【請求項３】
前記デジタル放送番組情報は、前記デジタル放送によって放送される全ての番組に関する番組情報を含み、
前記制御部が、前記デジタル用番組情報取得部で取得したデジタル放送番組情報に含まれている、前記アナログ放送番組に関連する番組情報を前記録画部に供給し、
前記録画部が、録画した前記アナログ放送番組に前記制御部から供給された番組情報を付加する、請求項２に記載の録画システム。
【請求項４】
前記デジタル放送番組がシリーズ番組であり、前記録画部によって付加される番組情報が、シリーズの何番目にあたるかを示すシリーズＩＤを含む、請求項３に記載の録画システム。
【請求項５】
表示部と、
操作部と、
前記アナログチューナから出力される前記アナログ放送の受信信号から、前記アナログ放送で放送される全ての番組に関するアナログ放送番組情報を取得するアナログ用番組情報取得部とをさらに有し、
前記制御部が、前記デジタル用番組情報取得部で取得したデジタル放送用番組情報と前記アナログ用番組情報取得部で取得したアナログ放送用番組情報とを保持するとともに、前記操作部を通じて入力されたキーワードに関連する番組情報を前記保持した情報の中から検索し、該検索結果を前記表示部に表示する、請求項３に記載の録画システム。
【請求項６】
前記デジタル用番組情報取得部で取得したデジタル放送番組情報と前記アナログ用番組情報取得部で取得したアナログ放送番組情報とに基づいて、前記アナログ放送に関する番組表を作成して前記表示部に表示させるとともに、前記番組表から任意に選択された番組を予め用意された予約リストに登録する番組予約部をさらに有する、請求項５に記載の録画システム。
【請求項７】
前記デジタル放送番組がシリーズ番組であり、前記番組表中の前記シリーズ番組に対応する番組にシリーズの何番目にあたるかを示すシリーズＩＤが付与されており、
前記番組予約部は、前記予約リストに番組を登録する際にすでに登録されている他の番組と放送時間帯が重なる場合は、これら番組のいずれかに再放送番組が存在するか否かを前記番組表中の前記シリーズＩＤに基づいて判断し、再放送番組が存在する場合は、該再放送番組を元の番組に代えて前記予約リストに登録する、請求項６に記載の録画システム。
【請求項８】
前記アナログチューナが複数あり、
前記録画部が、前記複数のアナログチューナで受信した、放送時間帯が重なる複数のアナログ放送番組を録画し、
前記制御部が、前記複数のアナログ放送番組のそれぞれに対応する複数のデジタル放送番組の各放送チャンネルにおいて前記デジタルチューナの受信チャンネルを周期的に切り替えるとともに、前記各放送チャンネルで受信した前記複数のデジタル放送番組の放送開始タイミングと放送終了タイミングに基づいて、前記録画部における前記複数のアナログ放送番組の録画開始と録画終了を制御する、請求項１に記載の録画システム。
【請求項９】
アナログ放送番組を録画するシステムによって実行される録画方法であって、
録画すべきアナログ放送番組の放送前に、該アナログ放送番組に対応するデジタル放送番組が放送されるデジタル放送チャンネルを受信する第１のステップと
前記デジタル放送番組の放送開始タイミングをきっかけとして前記録画すべきアナログ放送番組が放送されるアナログ放送チャンネルを受信して前記録画すべきアナログ放送番組の録画を開始する第２のステップと、
前記デジタル放送番組の放送終了タイミングをきっかけとして前記録画すべきアナログ放送番組の録画を終了する第３のステップとを含む、アナログ放送番組の録画方法。
【請求項１０】
前記デジタル放送チャンネルの受信信号から、現在放送されている番組を特定可能な番組特定情報を取得するステップと、
前記取得した番組特定情報に基づいて前記放送開始タイミングおよび放送終了タイミングを判断するステップとをさらに含む、請求項９に記載のアナログ放送番組の録画方法。
【請求項１１】
前記デジタル放送チャンネルの受信信号から、前記録画すべきアナログ放送番組に関連する番組情報を取得するステップと、
前記取得した番組情報を、前記録画すべきアナログ放送番組の録画データに付加するステップとをさらに含む、請求項９に記載のアナログ放送番組の録画方法。
【請求項１２】
前記デジタル放送番組が、連続的に放送されるシリーズ番組であり、前記番組情報が、シリーズの何番目にあたるかを示すシリーズＩＤを含む、請求項１１に記載のアナログ放送番組の録画方法。
【請求項１３】
デジタル放送を受信して全てのデジタル放送番組に関するデジタル放送番組情報を取得するステップと、
アナログ放送を受信して全てのアナログ放送番組に関するアナログ放送番組情報を取得するステップと、
前記取得したデジタル放送用番組情報およびアナログ放送用番組情報を保持するステップと、
入力されたキーワードに関連する番組情報を前記保持した情報の中から検索し、該検索結果を表示するステップとをさらに含む、請求項９に記載のアナログ放送番組の録画方法。
【請求項１４】
前記取得したデジタル放送番組情報およびアナログ放送番組情報に基づいて、前記アナログ放送に関する番組表を作成して表示するステップと、
前記番組表から任意に選択された番組を予め用意された予約リストに登録するステップとをさらに含む、請求項１３に記載のアナログ放送番組の録画方法。
【請求項１５】
前記デジタル放送番組が、連続的に放送されるシリーズ番組であり、前記番組表中の前記シリーズ番組に対応する番組にシリーズの何番目にあたるかを示すシリーズＩＤを付与するステップと、
前記予約リストに番組を登録する際にすでに登録されている他の番組と放送時間帯が重なる場合は、これら番組のいずれかに再放送番組が存在するか否かを前記番組表中の前記シリーズＩＤに基づいて判断し、再放送番組が存在する場合は、該再放送番組を元の番組に代えて前記予約リストに登録するステップとをさらに含む、請求項１４に記載のアナログ放送番組の録画方法。
【請求項１６】
前記録画すべきアナログ放送番組が、放送時間帯が重なる複数のアナログ放送番組であり、
前記第１のステップが、前記複数のアナログ放送番組のそれぞれに対応する複数のデジタル放送番組の各放送チャンネルを周期的に切り替えて受信するステップであり、
前記第２のステップが、前記各放送チャンネルで受信した前記複数のデジタル放送番組のそれぞれの放送開始タイミングをきっかけとして対応するアナログ放送番組の録画を開始するステップであり、
前記第３のステップが、前記各放送チャンネルで受信した前記複数のデジタル放送番組のそれぞれの放送終了タイミングをきっかけとして対応するアナログ放送番組の録画を終了するステップである、請求項９に記載のアナログ放送番組の録画方法。
【発明の詳細な説明】
【技術分野】
【０００１】
本発明は、アナログ放送番組を録画するシステムおよび方法に関する。
【背景技術】
【０００２】
現在、テレビジョン放送は、現行のアナログ放送からデジタル放送への移行が進められている。この移行期間では、アナログ放送とデジタル放送の２つの方式が存在する。アナログ放送を受信するにはアナログチューナが、デジタル放送を受信するにはデジタルチューナが必要である。
【０００３】
デジタル放送は、番組情報が豊富で、放送時間が変更されてもリアルタイムで追従できる、というメリットがある反面、デジタルチューナが高価で、録画ファイルサイズが大きく、そのコピーも制限される、というデメリットがある。他方、アナログ放送は、チューナが低価格で、録画ファイルサイズが小さい上、個人で楽しむ限りはコピーの制限が緩い、というメリットがある反面、デジタル放送に比べて低画質で、情報量も少ない上、急な放送時間の変更に対応することができない、というデメリットがある。このように、デジタル放送およびアナログ放送の間には、メリット、デメリットにおいて、トレードオフ的な関係がある。このことから、録画ファイルサイズが小さく、コピーの制限が緩いアナログ放送番組の録画を要望するユーザはまだまだ多い。
【０００４】
そこで、デジタルチューナおよびアナログチューナを搭載した種々の装置が提案されている。特許文献１には、デジタルチューナおよびアナログチューナを搭載した放送受信装置において、番組表情報を含むデジタル放送と番組表情報を含まないアナログ放送の番組表が同一画面上に表示されるように構成したものが提案されている。この放送受信装置では、ユーザは、その表示された番組表を参照して、アナログ放送番組またはデジタル放送番組の番組予約を行うことができる。
【特許文献１】特開２００３−１９８９６１号公報
【発明の開示】
【発明が解決しようとする課題】
【０００５】
しかしながら、従来の装置では、デジタルチューナを搭載しているにも関らず、そのデジタルチューナで受信したデジタル放送の番組情報はアナログ放送番組の録画には有効に利用されていない。このため、アナログ放送番組を予約録画する場合に、急な放送時間の変更に対応することができない、という問題がある。例えば、予約したアナログ放送番組の前に放送された番組の放送時間が延長された場合には、その延長された時間帯については録画されない。
【０００６】
本発明の目的は、上記問題を解決し、デジタル放送の番組情報を有効に利用することができ、アナログ放送番組を録画する際に急な放送時間の変更にも対応することができる、システムおよび方法を提供することにある。
【課題を解決するための手段】
【０００７】
上記目的を達成するため、本発明の録画システムは、デジタル放送を受信するデジタルチューナと、アナログ放送を受信する少なくとも１つのアナログチューナと、前記アナログチューナで受信したアナログ放送番組を録画する録画部と、前記デジタルチューナで受信した、前記アナログ放送番組に対応するデジタル放送番組の放送開始タイミングと放送終了タイミングに基づいて、前記録画部における前記アナログ放送番組の録画開始と録画終了を制御する制御部とを有する。
【０００８】
また、本発明のアナログ放送番組の録画方法は、録画すべきアナログ放送番組の放送前に、該アナログ放送番組に対応するデジタル放送番組が放送されるデジタル放送チャンネルを受信する第１のステップと前記デジタル放送番組の放送開始タイミングをきっかけとして前記録画すべきアナログ放送番組が放送されるアナログ放送チャンネルを受信して前記録画すべきアナログ放送番組の録画を開始する第２のステップと、前記デジタル放送番組の放送終了タイミングをきっかけとして前記録画すべきアナログ放送番組の録画を終了する第３のステップとを含む。
【０００９】
上記の本発明では、アナログ放送とデジタル放送のそれぞれで同じ番組が同じ時刻に放送される点を利用して前述した課題が解決される。具体的には、録画すべきアナログ放送番組の録画開始および録画終了を、同じ番組であり、同じ時刻に放送されるデジタル放送番組の放送開始タイミングおよび放送終了タイミングに基づいて制御する。デジタル放送では、現在流れている番組を特定することができるようになっているので、デジタル放送番組の放送開始タイミングおよび放送終了タイミングをリアルタイムに把握することができる。よって、予約したアナログ放送番組の放送時間に急な変更が生じても、デジタル放送番組の放送開始タイミングおよび放送終了タイミングからそのアナログ放送番組の実際の放送開始タイミングおよび放送終了タイミングを把握することができる。
【発明の効果】
【００１０】
上述したとおり、本発明によれば、アナログ放送番組のリアルタイムな予約録画が可能となっているので、放送時間に急な変更が生じた場合でも、予約したアナログ放送番組を確実に録画することができる。
【発明を実施するための最良の形態】
【００１１】
次に、本発明の実施形態について図面を参照して説明する。
【００１２】
図１は、本発明の一実施形態である録画システムの概略構成を示すブロック図である。この録画システムは、パーソナルコンピュータやＨＤＤ（Hard Disk Drive）レコーダに代表される番組録画が可能なシステムに適用されるものであって、その構成は、デジタルチューナ１、アナログチューナ２、デジタル用番組情報取得部３、アナログ用番組情報取得部４、番組情報解析／制御部５、番組予約部６、アナログ放送録画部７および記憶装置８からなる。
【００１３】
デジタルチューナ１は、外部のデジタル用アンテナ（不図示）を通じて各放送局からのデジタル放送を受信するものである。アナログチューナ２は、外部のアナログ用アンテナ（不図示）を通じて各放送局からのアナログ放送を受信するものである。デジタルチューナ１から出力されるデジタル放送受信信号には、映像、音声、データ、番組情報（番組特定情報、番組のタイトル名や詳細情報を含む番組表など）などの情報が含まれる。アナログチューナ２から出力されるアナログ放送受信信号には、映像、音声、番組情報（タイトル名や詳細情報を含む番組表）などの情報が含まれる。番組特定情報は、現在流れている番組を特定するための情報であり、この情報を監視することで、放送番組の開始時刻および終了時刻をリアルタイムに判断することができる。デジタル放送の番組表は、通常、アナログ放送の番組表に比べて情報量が多く、また、両番組表の間には、同じ番組の情報であっても内容が異なることが多い。
【００１４】
デジタル用番組情報取得部３は、デジタルチューナ１からのデジタル放送受信信号からデジタル放送の番組情報を取得する。取得したデジタル放送用番組情報は、番組情報解析／制御部５に供給される。アナログ用番組情報取得部４は、アナログチューナ２からのアナログ放送受信信号をアナログ放送録画部７に供給するとともに、そのアナログ放送受信信号からアナログ放送の番組情報を取得する。取得したアナログ放送用番組情報は、番組情報解析／制御部５に供給される。
【００１５】
番組情報解析／制御部５は、デジタル用番組情報取得部３から供給されたデジタル放送用番組情報と、アナログ用番組情報取得部４から供給されたアナログ放送用番組情報とに基づいて番組情報の解析を行うとともに、番組予約部６に対して番組予約に必要な番組情報を供給する。番組情報の解析では、番組予約部６にて作成された録画予約リスト中の予約番組の実際の放送時間（放送開始時刻および放送終了時刻）をデジタル用番組情報に含まれている番組特定情報に基づいて判断する処理、不図示の操作部にて使用者が入力したキーワードの検索処理などが行われる。また、番組情報解析／制御部５は、予約した番組の実際の放送時間に基づいて録画命令をアナログ放送録画部７に供給する。この録画命令の供給では、デジタル用番組情報の番組特定情報に基づいて決定した予約番組の放送開始時刻および放送終了時刻のそれぞれのタイミングで録画開始命令、録画終了命令が供給されるとともに、必要に応じてデジタル用番組情報の一部または全部が供給される。
【００１６】
番組予約部６は、番組情報解析／制御部５から供給された番組情報（デジタル放送番組情報およびアナログ放送番組情報を含む）に基づいてアナログ放送番組に関する番組表を外部の表示部（不図示）に表示させるとともに、その表示した番組表と連動した番組予約処理を行う。具体的には、操作部（不図示）における入力操作に応じて、表示部に表示された番組表中の所望の放送番組を指定入力することが可能となっており、番組予約部６は、その番組表中で指定入力された放送番組を録画予約リストに格納する。録画予約リストは、番組予約部６にて保存・管理される。録画予約リストの編集は、既存のレコーダにおける編集と同じである。
【００１７】
アナログ放送録画部７は、番組情報解析／制御部５からの録画命令に従って、予約された放送番組のデータを記憶装置８内に格納する（予約録画）。この他、アナログ放送録画部７は、通常の録画（使用者による入力操作に応じて録画の開始および終了が実行される）を行うことも可能である。通常の録画および予約録画の際には、番組情報解析／制御部５から供給されたデジタル用番組情報も一緒に記録することができる。記憶装置８としては、ＨＤＤやＤＶＤ（Digital Video Disk）などの大容量の記憶手段が用いられる。
【００１８】
次に、本実施形態の録画システムの動作について説明する。通常の録画などの処理については既存のレコーダにおける処理と同じであるので省略する。ここでは、本実施形態の録画システムの特徴となる予約録画に関連する処理についてのみ詳細に説明する。
【００１９】
図２は、予約録画に関連する手順の一例を示すフローチャートである。図２を参照すると、予約録画は、放送局対応付け（ステップＳ１０）、番組対応付け（ステップＳ１１）、番組予約（ステプＳ１２）、予約録画処理（ステップＳ１３）の４つの段階に分けられる。以下、各段階に分けて動作を説明する。
【００２０】
（１）放送局対応付け：
この放送局対応付けでは、デジタル放送局およびアナログ放送局の間で、同じ番組を放送する局の対応付けを行う。図３に、アナログ放送局とデジタル放送局の対応付けの一例を示す。デジタル放送局の一覧（放送局Ｄ１〜Ｄｎ）およびアナログ放送局の一覧（放送局Ａ１〜Ａｎ）が予め用意されており、これら一覧から対応する放送局を決定して放送局対応テーブルを作成する。図３の例では、放送局Ｄ１と放送局Ａ３が同じ番組を放送するものであり、放送局Ｄ２と放送局Ａ５とが同じ番組を放送するものであり、放送局Ｄ３と放送局Ａ１が同じ番組を放送するものである。これらの対応関係をテーブル化したものが図３に示した放送局対応テーブルである。
【００２１】
放送局対応テーブルの作成は手動で行われる。具体的には、番組情報解析／制御部５が、放送局対応テーブル作成画面を表示部に表示させ、その表示された放送局対応テーブル作成画面上で、ユーザが操作部を通じて対応する放送局を順次登録する。放送局の登録にあたって、番組情報解析／制御部５が、予め用意されているデジタル放送局一覧およびアナログ放送局一覧を別画面に表示してもよい。この場合は、その表示した別画面上で対応する番組を、使用者が操作部を通じて入力指定入力する。この指定入力された対応する放送局が、放送局対応テーブルに順次格納される。なお、デジタル放送局一覧およびアナログ放送局一覧が記載されたテキストが与えられている場合には、そのテキストを参照して放送局の登録を行う。
【００２２】
放送局の対応付けは、基本的には、本録画システムを起動時に一度設定すればよく、起動の度に設定する必要はない。一度設定した対応内容は、不図示の記憶装置（不揮発性メモリ）に保存され、次回の起動時には、その保存した設定内容が読み出される。
【００２３】
（２）番組対応付け：
図４に、デジタル放送番組とアナログ放送番組の対応付けの一例を示す。この例では、放送局Ｄ１によって放送されるデジタル放送番組ＤＡＡは、放送局Ａ３によって放送されるアナログ放送番組ＡＡＣと対応し、放送局Ｄ２によって放送されるデジタル放送番組ＤＡＢは、放送局Ａ５によって放送されるアナログ放送番組ＡＡＥと対応し、放送局Ｄ３によって放送されるデジタル放送番組ＤＡＣは、放送局Ａ１によって放送されるアナログ放送番組ＡＡＡと対応する。これらの対応関係をテーブル化したものが図４に示した番組対応テーブルである。
【００２４】
番組情報解析／制御部５は、番組対応テーブルを次のようにして自動的に作成する。まず、デジタル用番組情報取得部３から供給されたデジタル放送用番組情報に基づいて、デジタル放送番組とデジタル放送局とが関連付けられたデジタル放送番組一覧を作成するとともに、アナログ用番組情報取得部４から供給されたアナログ放送用番組情報に基づいて、アナログ放送番組とアナログ放送局とが関連付けられたアナログ放送番組一覧を作成する。次に、デジタル放送番組一覧の各デジタル放送番組とアナログ放送番組一覧の各アナログ放送番組とを比較（番組情報のタイトル名や詳細情報の比較）し、対応する番組を番組対応テーブルに順次格納する。こうして図３に示した番組対応テーブルを得る。この番組対応テーブルでは、対応する番組に組番号が順次付される形で格納される。図３の例では、組番号「１」の欄に、デジタル放送番組ＤＡＡおよびアナログ番組ＡＡＣが格納され、組番号「２」の欄に、デジタル放送番組ＤＡＢおよびアナログ番組ＡＡＥが格納され、組番号「３」の欄に、デジタル放送番組ＤＡＣおよびアナログ番組ＡＡＡが格納される。
【００２５】
放送番組の対応付けは、基本的には、デジタル放送の番組情報およびアナログ放送の番組情報が更新されるたびに自動的に行われる。番組情報の更新は、デジタルチューナ１で受信されるデジタル放送用番組情報の内容およびアナログチューナ２で受信されるアナログ放送用番組情報の内容をそれぞれ一定周期で監視し、内容に変更が生じた場合に更新されたと判断する。この番組情報の更新の判断は、番組情報解析／制御部５によって行われる。
【００２６】
また、放送番組の対応付けは、手動で行うようにしてもよい。この場合は、デジタル放送番組一覧およびアナログ放送番組一覧が表示され、その表示された一覧から対応する番組を、ユーザが操作部を通じて指定入力する。この指定入力された対応する番組が、予め用意された番組対応テーブルに順次格納される。
【００２７】
（３）番組予約：
放送局および放送番組の対応付けの後、番組予約部６によって番組予約処理が行われる。この番組予約処理では、まず、番組情報解析／制御部５から供給された番組情報に基づいてアナログ放送番組に関する番組表が表示部に表示される。表示される番組表は、基本的には、アナログ放送用番組情報に含まれている番組表に基づいて作成されるが、この番組表作成に、デジタル放送用番組情報に含まれている情報の一部または全部を利用することも可能である。デジタル放送用番組情報を利用する場合は、図２に示した放送局対応付テーブルおよび図３に示した放送番組対応テーブルを参照し、対応する番組同士（デジタル放送番組とアナログ放送番組）の間で情報の置き換えまたは追加を行う。
【００２８】
番組表が表示された後、その表示された番組表中の所望の放送番組を、使用者が操作部を通じて指定入力すると、予め用意されている録画予約リストが表示されるとともに、該録画予約リストにその指定入力された番組の情報が登録される。図５に、録画予約リストの一例を示す。この録画予約リストでは、使用者が指定した番組に対応する組番号（図３に示した番組対応テーブルの組番号）が登録されている。録画予約リストに登録された番組（組番号）は、例えば放送時間の早い順に並べられている。
【００２９】
予約した番組の放送時間は、録画予約リスト中に組番号と一緒に格納してもよい。これにより、録画予約リストから予約した番組の放送時間を取得することができる。また、録画予約リストに格納されている組番号から、図４に示した番組対応テーブルを参照して対応するデジタル放送番組またはアナログ放送番組を取得し、番組表からその取得した番組の放送時間を取得することもできる。
【００３０】
録画予約リストは、番組予約部６にて保存・管理されており、使用者は、その保存した内容を自由に編集することができる。具体的には、使用者が、操作部にて予約リスト内容を編集するための操作を行うと、番組予約部６が、現在保存してある録画予約リストの内容を表示部に表示する。この表示された画面上で、内容を変更し、確定のための操作を行うと、番組予約部６は、変更された内容で録画予約リストを保存する。
【００３１】
（４）予約録画処理：
番組予約が確定した後、番組情報解析／制御部５が、録画予約リストに従って予約録画処理を実行する。図６に、その番組情報解析／制御部５にて行われる予約録画処理の一手順を示す。以下、図１および図６を参照して予約録画処理を説明する。
【００３２】
まず、予約確定した否かが判断される（ステップＳ２０）。使用者が予約確定のための操作を行うと、番組予約部６が予約確定信号を番組情報解析／制御部５に供給する。番組情報解析／制御部５は、この予約確定信号が供給された時点で番組予約が確定されたと判断する。
【００３３】
ステップＳ２０にて予約確定と判断された場合は、続いて、サーチ開始時刻になったか否かが判断される（ステップＳ２１）。サーチ開始時刻は、予約した番組の放送開始時刻から所定の時間だけ早い時刻である。番組情報解析／制御部５は、不図示の時計機能から現在時刻を取得するようになっており、現在時刻が予約した番組の放送開始時刻より所定の時間だけ早い時刻になると、サーチ開始時刻になったと判断する。このサーチ開始時刻の判断は、図５に示した録画予約リストに登録されている番組（組番号）ごとに行われる。
【００３４】
サーチ開始時刻になると、続いて、デジタルチューナ１における受信チャネルを予約番組に対応するデジタル放送番組が放送されるチャンネルに合わせる（ステップＳ２２）。このチャンネル制御では、まず、図５に示した録画予約リスト中の、サーチ開始時刻となった組番号に対応するデジタル放送番組およびアナログ放送番組を、図４に示した番組対応テーブルから取得する。ここでは、組番組「３」がサーチ開始時刻となり、その組番号「３」に対応するデジタル放送番組ＤＡＣおよびアナログ放送番組ＡＡＡが番組対応テーブルから取得されるものと仮定する。次に、その取得したデジタル放送番組ＤＡＣを放送するデジタル放送局Ｄ３を、図４に示したデジタル放送番組一覧から取得する。こうして取得したデジタル放送局ＤＡＣのチャンネルにデジタルチューナ１の受信チャネルを合わせる。
【００３５】
デジタルチューナ１の受信チャンネルが設定されると、続いて、デジタルチューナ１からのデジタル放送受信信号についてサーチを開始し（ステップＳ２３）、デジタル放送番組ＤＡＣの放送が開始されたか否かを調べる（ステップＳ２４）。図７に、一般的なデジタル放送信号のフォーマット例を示す。デジタル放送信号は、映像、音声、データ、現在の番組情報、サービス情報を多重化したものである。映像、音声、データ、現在の番組情報のそれぞれの周期は短い。これに対して、サービス情報の周期は長い。現在の番組情報には、現在放送されている番組を特定する番組特定情報が含まれており、この番組特定情報に基づいて現在どの番組が放送されているかを判断することができる。ステップＳ２４では、この番組特定情報に基づいてデジタル放送番組ＤＡＣの放送開始の判断が行われる。
【００３６】
デジタル放送番組ＤＡＣの放送が開始されたと判断すると、続いて、アナログチューナ２における受信チャネルを予約番組に対応するアナログ放送番組が放送されるチャンネルに合わせる（ステップＳ２５）。このチャンネル制御では、ステップＳ２２で取得したアナログ放送番組ＡＡＡのチャンネルにアナログチューナ２の受信チャネルを合わせる。
【００３７】
アナログチューナ２の受信チャンネルが設定されると、続いて、アナログ放送録画部７に対して、録画開始命令を送信してアナログ放送番組ＡＡＡの録画を開始させる（ステップＳ２６）。このとき、録画開始命令の送信と同時に、アナログ放送録画部７に対して、デジタル用番組情報取得部３にて取得されたデジタル用番組情報の供給も開始する。これにより、アナログ放送番組ＡＡＡの録画データにデジタル用番組情報を付与することができる。
【００３８】
アナログ放送番組ＡＡＡの録画が開始されると、続いて、デジタル放送番組ＤＡＣの放送が終了したか否かを調べる（ステップＳ２７）。この放送終了の判断も、図７に示したデジタル放送信号の現在の番組情報に含まれている番組特定情報に基づいて行われる。デジタル放送番組ＤＡＣの放送が終了すると、アナログ放送録画部７に対して、録画終了命令を送信してアナログ放送番組ＡＡＡの録画を終了させる（ステップＳ２８）。
【００３９】
以上の予約録画処理によれば、（１）アナログ放送およびデジタル放送のそれぞれで同じ番組が同じ時刻に放送されること、（２）デジタル放送では番組特定情報を用いることで、番組の放送時間に急な変更が生じても、その変更後の放送時間を正確に把握できること、という点を利用して、アナログ放送番組を録画する際に、その録画の開始および終了のタイミングを、同じ時刻に放送される同じ番組であるデジタル放送番組の放送開始および放送終了から得るようになっている。すなわち、デジタル放送の番組特定情報を利用してアナログ放送番組の放送開始および放送終了のタイミングを得る。こうすることで、アナログ放送番組の放送時間の急な変更にも追従できる。
【００４０】
次に、記憶装置８に格納される録画データについて説明する。本実施形態の録画システムでは、アナログ放送録画部７は、アナログ放送番組を録画した際に、その録画データに、番組情報解析／制御部５から供給されたデジタル用番組情報を付与することができる。図８に、録画データの一例を示す。
【００４１】
図８を参照すると、録画データは、録画ファイルと番組情報ファイルからなる。録画ファイルは、アナログ放送番組の映像信号および音声信号をそれぞれＭＰＥＧ（Moving Picture Cording Experts Group）方式で格納したファイルである。番組情報ファイルは、番組名、番組詳細情報、ジャンル、出演者などの情報を格納したファイルである。これら録画ファイルおよび番組情報ファイルは任意に再生することができる。ファイル再生では、録画ファイルおよび番組情報ファイルを連動させて再生したり、個別に再生したりすることができる。
【００４２】
録画データに番組情報ファイルを付加したことで、録画データの再生時に、より詳細な番組情報を提供することが可能となる。特に、番組情報ファイルに格納される情報は、デジタル放送から取得した番組情報であるので、その情報量は、アナログ放送の番組情報に比較して格段に多い。よって、アナログ放送番組の再生に際して、これまでにない情報量の番組情報を提供することができる。
【００４３】
また、デジタル放送では、シリーズ番組（連続ドラマなど）の各話ごとに、何話目であるかを特定することができるシリーズＩＤが付されている。番組情報ファイルに格納する番組情報として、このシリーズＩＤを格納しておけば、記憶装置８に格納した録画データを再生する際に、シリーズＩＤを用いて各話を連続して再生することができる。加えて、記憶装置８に格納した録画データをＤＶＤなどの他の記録媒体に格納する場合に、シリーズものをまとめて記録媒体に格納することが可能である。
【００４４】
さらに、予約番組をシリーズＩＤと関連付けて録画予約リストに登録することで、放送時間が重なった予約番組の登録を自動的に回避することができる。具体的に説明すると、番組予約部６が以下のような手順で自動回避を行う。
【００４５】
まず、録画予約リストに登録された番組の中に、放送時間帯が重なっているものがあるか否かを調べる。放送時間帯が重なっている番組がある場合は、それら番組にシリーズＩＤが付与されているか否かを調べる。シリーズＩＤが付与されている番組があった場合は、番組表で、同じシリーズＩＤが付された他の放送時間帯の再放送番組を探索する。再放送番組があった場合は、元の番組に代えてその再放送番組を録画予約リストに登録する。これにより、自動回避を実現する。この自動回避は、アナログチューナの数が１つの場合に、特に有効である。なお、放送時間帯が重なった番組のそれぞれにシリーズＩＤが付与されている場合は、各番組の放送時間の長さを比較し、放送時間の短い方について再放送番組の検索を行うことが望ましい。これは、放送時間の短い番組の方が、再放送番組の登録を行った際に、放送時間帯が他の予約番組と重なることがより少なくなるからである。
【００４６】
また、本実施形態の録画システムには、使用者が操作部を通じて入力したキーワードに基づいて番組検索を行うことができる。この番組検索は、番組情報解析／制御部５によって行われる。具体的には、番組情報解析／制御部５は、デジタル用番組情報取得部３から供給されたデジタル放送用番組情報とアナログ用番組情報取得部４から供給されたアナログ放送用番組情報とを含む番組情報を保持しており、この保持した番組情報の中に、操作部にて入力されたキーワードが存在するか否かを検索する。存在した場合は、その関連する情報（番組名やその詳細情報を含む）を表示部に表示させる。検索結果として、複数の番組に関する情報が検索された場合は、その一覧を表示する。使用者は、表示された情報を参照して、番組の予約を行うことができる。
【００４７】
上記の番組検索では、アナログ放送の番組情報とデジタル放送の番組情報を用いる。これら番組情報には、同じ番組であってもそれぞれで異なる情報が用意されている場合が多く、よって、これら番組情報をあわせることで、より多くの情報が検索対象となる。よって、使用者が所望する番組を高い確率で検索することが可能である。
【００４８】
（他の実施形態）
以上説明した実施形態は、本発明の一例であって、その構成および動作は適宜変更することができる。例えば、図１に示したシステムにおいて、アナログチューナを２台以上設けることも可能である。このように構成することで、放送時間が重なる複数の番組の録画が可能となる。
【００４９】
図９は、図１のシステムにおいて、複数台のアナログチューナを備える場合の、番組情報解析／制御部５にて行われる予約録画処理の一手順を示す。まず、番組予約が確定した否かが判断される（ステップＳ３０）。番組予約が確定すると、続いて、サーチ開始時刻になったか否かが判断される（ステップＳ３１）。ここまでの処理は、図６に示したステップＳ２０、Ｓ２１の処理と同じである。
【００５０】
サーチ開始時刻になると、続いて、サーチ開始時刻となった予約番組が複数存在するか否かが判断される（ステップＳ３２）。この判断で「Ｎｏ」となった場合は、複数のアナログチューナのうち１台を予約番組受信用のアナログチューナとして割り当てる（ステップＳ３３）。そして、デジタル放送チャンネル合わせ（ステップＳ３４）、デジタル放送番組サーチ（ステップＳ３５）を順次行って、予約番組を録画する（ステップＳ３６）。ステップＳ３４のデジタル放送チャンネル合わせ、ステップＳ３５のデジタル放送番組サーチは、それぞれ図６のステップＳ２２、Ｓ２３と同じである。また、ステップＳ３６の予約番組録画では、図６のステップＳ２４〜Ｓ２８の処理が行われる。
【００５１】
ステップＳ３０の判断で「Ｙｅｓ」となった場合は、各予約番組のそれぞれにアナログチューナを割り当てる（ステップＳ３２）。次いで、デジタルチューナにおける受信チャネルを各予約番組が放送されるデジタル放送チャンネルの間で周期的に切り替えながら、各予約番組に対応するデジタル放送番組をサーチする（ステップＳ３３、Ｓ３４）。そして、各デジタル放送番組のそれぞれについて放送が開始されたか否かを調べ、放送開始されたデジタル放送番組があると、そのデジタル放送番組に対応する予約番組の録画を行う（ステップＳ３５）。このステップＳ３５の各予約番組の録画は、具体的には、以下のような手順となる。
【００５２】
まず、放送が開始されたデジタル放送番組に対応する予約番組の受信用に割り当てられたアナログチューナの受信チャネルを対応するアナログ放送番組が放送されているチャンネルに合わせる。続いて、アナログ放送録画部７に対して、録画開始命令を送信して対応するアナログ放送番組の録画を開始させる。このとき、録画開始命令の送信と同時に、アナログ放送録画部７に対して、デジタル用番組情報取得部３にて取得された対応するデジタル用番組情報の供給も開始する。アナログ放送番組の録画が開始されると、続いて、対応するデジタル放送番組の放送が終了したか否かを調べる。対応するデジタル放送番組の放送が終了すると、アナログ放送録画部７に対して、録画終了命令を送信してアナログ放送番組の録画を終了させる。この手順で、各予約番組を全て録画する。
【００５３】
上述した予約録画処理では、放送時間帯が重なる複数の予約番組を同時に録画することができる。例えば、２台のアナログチューナを有する場合、放送時間帯が重なる２つの番組を同時に録画することができる。この場合は、アナログ放送録画装置内に、一方のアナログチューナからのアナログ放送受信信号が供給される第１のバッファと、他方のアナログチューナからのアナログ放送受信信号が供給される第２のバッファとを設け、これらバッファからの出力信号を時分割で記憶装置８に格納する。これにより、２つの番組の同時録画が可能となる。
【００５４】
また、複数の予約番組を録画する場合は、各予約番組について、デジタル放送の番組特定情報を利用してアナログ放送番組の放送開始および放送終了のタイミングを得る。よって、各予約番組（アナログ放送番組）のそれぞれで放送時間の急な変更に追従できる。
【図面の簡単な説明】
【００５５】
【図１】本発明の第１の実施形態である録画システムの概略構成を示すブロック図である。
【図２】予約録画に関連する手順を示すフローチャートである。
【図３】アナログ放送局とデジタル放送局の対応付けを説明するための図である。
【図４】デジタル放送番組とアナログ放送番組の対応付けを説明するための図である。
【図５】録画予約リストの一例を示す模式図である。
【図６】予約録画処理の一手順を示すフローチャートである。
【図７】一般的なデジタル放送信号のフォーマット例を示す模式図である。
【図８】録画データの一例を示す模式図である。
【図９】本発明の他の実施形態である録画システムにおいて行われる予約録画処理の一手順を示すフローチャートである。
【符号の説明】
【００５６】
１  デジタルチューナ
２  アナログチューナ
３  デジタル用番組情報
４  アナログ用番組情報
５  番組情報解析／制御部
６  番組予約部
７  アナログ放送録画部
８  記憶装置
【図１】
2006094317.tif 000003
【図２】
2006094317.tif 000004
【図３】
2006094317.tif 000005
【図４】
2006094317.tif 000006
【図５】
2006094317.tif 000007
【図６】
2006094317.tif 000008
【図７】
2006094317.tif 000009
【図８】
2006094317.tif 000010
【図９】
2006094317.tif 000011